(57)【特許請求の範囲】
【請求項１】
イヤーカナルマイクを内蔵するブルートゥースイヤーセットであって、
ブルートゥース無線通信によって受信された音響信号が再生された音をユーザーの耳の中に出力するように突出されて中空の結合部が形成されてユーザーの耳の中に挿入される出力部11を含んでいるハウジング10;
ユーザーの耳の中での音声を受信して電気信号に変換するイヤーカナルマイク21が挿入されるように前方に開放されたマイク挿入部23a及び前方と後方が開放されて後方に受信された電気信号に基づいて音で再生して出力するレシーバ22が挿入されて、上記レシーバ22の前方音出力部を開放してユーザーの耳の中に音を伝達する中空の隔壁によって出力管を形成するレシーバ挿入部23bが形成されたマイク/レシーバ 収容モジュール23を含んでいるマイク/レシーバ収容部20;
外部の音響を受信して電気信号に変換して上記レシーバで音で再生して出力されるようにする一つ以上の外部マイクを含んでいる外部音響受信部30;及び
ブルートゥース無線通信を制御して、音響信号の送受信及び再生とそのための構成部分の駆動制御を実行する駆動制御部40を含み、
上記駆動制御部40はブルートゥース通信を介して接続されたユーザー端末と音響信号を送受信して上記ユーザー端末による音声通話を実行するブルートゥース通信モードと外部から受信された音響信号を増幅する補聴モードを選択的に実行することを特徴とするイヤーカナルマイクを内蔵するブルートゥースイヤーセット。
【請求項２】
請求項1の記載において、
ユーザーのタッチ動作を認識する一つ以上のタッチパッドを含んでいるタッチ動作認識部50を含んで、上記タッチ動作認識部50で認識されているタッチ動作に応じて、上記ブルートゥース通信モードと補聴モードが転換されて実行されることを特徴とするイヤーカナルマイクを内蔵するブルートゥースイヤーセット。
【請求項３】
請求項2の記載において、
上記タッチ動作認識部50はユーザーの第1タッチを認識する第1タッチパッド51とユーザーの第2タッチを認識する第2タッチパッド52を含み、上記第1タッチパッド51と第2タッチパッド52で認識されているユーザーの第1タッチと第2タッチの認識順序に応じて上記レシーバで再生される音響信号の音量を調整することを特徴とするイヤーカナルマイクを内蔵するブルートゥースイヤーセット。
【請求項４】
請求項1の記載において、
ブルートゥース通信モードの実行時に、上記ブルートゥース無線通信を介してユーザー端末から受信された音響信号を上記レシーバ22を介してユーザーの耳の中に出力するように再生して、上記イヤーカナルマイクを介して受信されたユーザーの耳の中での音声に対する電気信号を音響信号に変換して、ブルートゥース無線通信でユーザー端末に送信することを特徴とするイヤーカナルマイクを内蔵するブルートゥースイヤーセット。
【請求項５】
請求項4の記載において、
ブルートゥース通信モードの実行時に、外部マイクを介してユーザーの耳の外部から受信されたユーザー自分の音声を受信して、受信されたユーザーの音声に対する音響信号に応じて上記イヤーカナルマイク21を介して受信されたユーザーの耳の中での音声の音響信号を補正することを特徴とするイヤーカナルマイクを内蔵するブルートゥースイヤーセット。
【請求項６】
請求項1の記載において、
上記外部音響受信部30は外部の音響を受信して電気信号に変換する第1外部マイク31と外部の音響を受信して電気信号に変換する第2マイクを含んでいることを特徴とするイヤーカナルマイクを内蔵するブルートゥースイヤーセット。
【請求項７】
請求項6の記載において、
補聴モードの実行時に、上記第1外部マイクを介して受信された音響の電気的音響信号を上記第2外部マイクを介して受信された音響の電気的音響信号に応じて補正して、レシーバ22を介して音で再生して出力することを特徴とするイヤーカナルマイクを内蔵するブルートゥースイヤーセット。
【請求項８】
請求項1の記載において、
事前に設定された方式で受信された音響信号について周波数ごとにその増幅量を調節する音響信号補正値を含んでいる一つ以上の聴力補正モードが保存されて、上記駆動制御部40は上記聴力補正モードに応じて受信された音響信号を周波数ごとに増幅量を調節して出力することを特徴とするイヤーカナルマイクを内蔵するブルートゥースイヤーセット。
【請求項９】
請求項1の記載において、
ユーザーの着用を検出する近接センサ60をさらに含んでいることを特徴とするイヤーカナルマイクを内蔵するブルートゥースイヤーセット。
【請求項１０】
請求項6の記載において、
上記駆動制御部40はブルートゥース通信モードと補聴モードによる制御コマンドを受信して、イヤーカナルマイク21と第1外部マイク31との電気的接続をスイッチングして、これらを選択的に有効または無効にする入力信号制御部41を含んでいることを特徴とするイヤーカナルマイクを内蔵するブルートゥースイヤーセット。
【請求項１１】
請求項10の記載において、
上記駆動制御部40はブルートゥース通信モード時に入力信号制御部41からイヤーカナルマイク21を介して受信されたユーザーの耳の中での音声の音響信号を増幅してデジタル音響信号に変更して、デジタル信号処理DSPを介して事前に設定された方式で変調してRF送信部47Aを介してユーザー端末に送信し、RF受信部47Bを介して受信された音声信号を増幅してデジタル音響信号に変更して、デジタル信号処理DSPを介して事前に設定された方式で処理して、処理された電気信号を増幅してレシーバ22に送信する音響信号処理部42を含んでいることを特徴とするイヤーカナルマイクを内蔵するブルートゥースイヤーセット。
【請求項１２】
請求項11の記載において、
上記音響信号処理部42は事前に設定された方式で受信された音響信号について周波数ごとにその増幅量を調節する音響信号補正値を含んでいる一つ以上の聴力補正モードに応じて上記音響信号を周波数ごとに増幅量を調節することを特徴とするイヤーカナルマイクを内蔵するブルートゥースイヤーセット。
【請求項１３】
イヤーカナルマイク21と外部マイクとユーザーのタッチ動作の入力を受けるタッチ動作認識部50を含んでいるイヤーカナルマイクを内蔵するブルートゥースイヤーセットの制御方法であって、
上記タッチ動作認識部50を介してユーザーのタッチ動作の入力を受けて認識して、上記認識されたタッチ動作を事前に設定されたタッチ動作と比較してブルートゥース通信モードまたは補聴モードに対する選択入力であるかを判断するモード選択入力段階S10;
上記モード選択入力段階S10でブルートゥース通信モードであると判断された場合、ブルートゥース通信モードを設定するブルートゥース通信モード設定段階S21;
上記モード選択入力段階S10で補聴モードであると判断された場合、補聴モードを設定する補聴モード設定段階S22;を含み、
上記ブルートゥース通信モード設定段階S21ではイヤーカナルマイク21と電気的に接続してイヤーカナルマイク21を有効にして外部マイク31を無効にし、上記補聴モード設定段階S22では外部マイク31と電気的に接続して外部マイク31を有効にしてイヤーカナルマイク21を無効にすることを特徴とするイヤーカナルマイクを内蔵するブルートゥースイヤーセットの制御方法。
【請求項１４】
請求項13の記載において、
イヤーカナルマイク21と外部マイク31のうち一つ以上で受信された音響信号を処理してレシーバ22に出力して音として再生させるモード実行段階S30;上記モード実行段階S30の実行中にタッチ動作認識部50を介してユーザーのタッチ動作が入力されるとこれを認識して、上記認識されたタッチ動作を事前に設定されたタッチ動作と比較してモード変換に対する入力なのかを判断するモード変換入力受信段階S40;及び
ブルートゥース通信モードでモード変換入力があると判断された場合、補聴モード設定段階S22を実行してモード設定を補聴モードに変更し、補聴モードでモード変換入力があると判断された場合、ブルートゥース通信モード設定段階S21を実行してモード設定をブルートゥース通信モードに変更するモード設定変更段階S50を含んでいることを特徴とするイヤーカナルマイクを内蔵するブルートゥースイヤーセットの制御方法。
【発明の詳細な説明】
【技術分野】
【０００１】
本発明は、ブルートゥース無線通信機能のイヤーセット（earset）とその制御方法に関するもので、より詳細には補聴機能を持つイヤーカナルマイク（ear canal microphone）を内蔵するブルートゥースイヤーセットとその制御方法に関するものである。
【背景技術】
【０００２】
通常、イヤーセットは電話機に接続して手を使わず通話するために使われるイヤホンとマイクで構成された機構を称する。
【０００３】
無線ネットワーク通信機能と周辺機器との近距離無線通信機能を基本的に搭載したスマートフォンなどのスマート機器の普及に応じて、ブルートゥースなどの無線通信によって本体のスマート機器と接続されている形の無線通信機能のハンズフリー機器が普遍化されている。ハンズフリー機器の一形態でスマート機器からの音響を再生するスピーカー部分がユーザーの耳の外耳道に挿入されるイヤーカナル（ear canal）イヤーホン形のイヤーセットが広く使用されている。通常のハンズフリー機器ないしイヤーセットで通話音声を受信するマイクロホン、 すなわち、マイクが外部に露出され、ユーザーの口から遠距離で離隔して、通話音声に加えて外部の騒音が受信されて通話品質が落ちたり、外部への露出でマイクが汚染されやすい問題がある。
【０００４】
これに応じて、ユーザーの耳の外耳道にマイクを挿入して、鼓膜を通じて伝達されるユーザーの通話音声を受信する形のイヤーカナルマイク（ear canal MIC）を内蔵したハンズフリー機器ないしイヤーセットの開発と商用化が試みられている。
【０００５】
一方、最近、老人性疾患または長期間の騒音への露出または事故など、様々な原因によって、最近、聴力の低下による難聴の症状を持つ患者が増加している。
【０００６】
これらの聴力低下の問題を解消するために、様々な形の補聴器が普及されている。補聴器は、外部に装着して音を患者の聴覚特性に合わせて増幅するために、外部の音を受信するマイク、音を増幅させるアンプ、増幅された音を出力するスピーカーないしレシーバなどで構成されている。デジタル補聴器の場合には、デジタル信号とアナログ信号を相互に変換するD/AとA/D変換器（converter）、コーデックを内蔵してデジタル信号を様々なアルゴリズムを使用して増幅したり、変換するように制御するプロセッサと外部機器とのインターフェースなどが具備されている。
【０００７】
しかし、これらの補聴器のユーザーがハンズフリー機器、すなわち、イヤーセットを使用することは、構造及び機能の問題がある。したがって、難聴の症状を持つユーザーの場合、ハンズフリー機器と補聴器を同時に使用することは不可能な現実である。これに応じて、この難聴症状に対して補聴器機としての役割とハンズフリー機器としての役割を同時に実行する補聴器機能を持つハンズフリー機器ないしイヤーセットの開発が切実に要求されている状況である。
【発明の開示】
【発明が解決しようとする課題】
【０００８】
したがって、本発明は上述した従来技術の問題を解決して、イヤーカナルマイクを通じて外部の騒音に影響を受けずに、ユーザー端末によって音声通話を実行するイヤーカナルマイクを内蔵するブルートゥースイヤーセットの機能と難聴患者に必要な補聴器の機能を同時に実行する新しい概念のイヤーカナルマイクを内蔵するブルートゥースイヤーセット及びその制御方法を提供することを目的とする。
【０００９】
また、補聴器の機能とユーザー端末を通じた音声通話機能を同時に使用したり、単純な動作で切り替えが可能で使用上便利な新しい概念のイヤーカナルマイクを内蔵するブルートゥースイヤーセットとその制御方法を提供することを目的とする。
【００１０】
さらに、特徴的な構造と機能によって、ユーザー端末を介して音声通話を実行するブルートゥース通信モードの通話品質が改善され、補聴機能が改善されたイヤーカナルマイクを内蔵するブルートゥースイヤーセットとその制御方法を提供することを目的とする。
【課題を解決するための手段】
【００１１】
上記の目的を達成するための一側面で、本発明はイヤーカナルマイクを内蔵するブルートゥースイヤーセット100であって、ブルートゥース無線通信によって受信された音響信号が再生された音をユーザーの耳の中に出力するように突出されて、中空の結合部が形成され、ユーザーの耳の中に挿入されている出力部11を含むハウジング10;ユーザーの耳の中での音声を受信して電気信号に変換するイヤーカナルマイク21が挿入されるように前方に開放されたマイク挿入部23aと、前方及び後方が開放されて後方に受信された電気信号に応じて音で再生して出力するレシーバ22が挿入され、上記レシーバ22の前方音出力部を開放してユーザーの耳の中に音を伝達する中空の隔壁によって出力管を形成するレシーバ挿入部23bが形成されたマイク/レシーバ収容モジュール23を含んでいるマイク/レシーバ 収容部20;外部の音響を受信して電気信号に変換して上記レシーバで音で再生して出力されるようにする一つ以上の外部マイクを含む外部音響受信部30;ブルートゥース無線通信を制御して、音響信号の送受信及び再生とこのための構成部分の駆動を制御する駆動制御部40を含んで、上記駆動制御部40はブルートゥース通信を通じて接続されたユーザー端末と音響信号を送受信して上記ユーザー端末を介して音声通話を実行するブルートゥース通信モードと外部から受信された音響信号を増幅する補聴モードを選択的に実行することを特徴とする。
【００１２】
好ましくは、ユーザーのタッチ動作を認識する一つ以上のタッチパッドを含むタッチ動作認識部50を含んで、上記タッチ動作認識部50で認識されているタッチ動作に応じて上記ブルートゥース通信モードと補聴モードが切り替えされて実行される。
【００１３】
ここで、上記タッチ動作認識部50はユーザーの第1タッチを認識する第1タッチパッド51とユーザーの第2タッチを認識する第2タッチパッド52を含んで、上記第1タッチパッド51と第2タッチパッド52で認識されているユーザーの第1タッチと第2タッチの認識順序に応じて上記レシーバで再生される音響信号の音量を調整することが好ましい。
【００１４】
また、好ましくは、ブルートゥース通信モードの実行時、上記ブルートゥース無線通信でユーザー端末から受信された音響信号を上記レシーバ22を介してユーザーの耳の中に出力するように再生して、上記イヤーカナルマイクを介して受信されたユーザーの耳の中での音声に対する電気信号を音響信号に変換してブルートゥース無線通信を介してユーザー端末に送信する。
【００１５】
ここで好ましくは、ブルートゥース通信モードの実行時、外部マイクを介してユーザーの耳の外部から受信されたユーザー自分の音声を受信して受信されたユーザーの音声に対する音響信号に応じて上記イヤーカナルマイク21を介して受信されたユーザーの耳の中での音声の音響信号を補正する。
【００１６】
また、好ましくは、上記外部音響受信部30は外部の音響を受信して電気信号に変換する第1外部マイク31と外部の音響を受信して電気信号に変換する第2マイクを含んでいる。
【００１７】
ここで好ましくは、補聴モードの実行時、上記第1外部マイクを介して受信された音響の電気的音響信号を上記第2外部マイクを介して受信された音響の電気的音響信号に応じて補正して、レシーバ22を介して音で再生して出力する。
【００１８】
さらに、好ましくは、事前に設定された方式で受信される音響信号について周波数ごとにその増幅量を調節する音響信号補正値を含む一つ以上の聴力補正モードが保存されて、上記駆動制御部40は上記聴力補正モードに応じて受信される音響信号を周波数ごとに増幅量を調節して出力する。
【００１９】
ここで、好ましくは、上記聴力補正値はブルートゥース無線通信を介して接続されたユーザー端末200に搭載されたアプリケーション300を介してユーザーによって事前に選択されて保存される。
【００２０】
好ましくは、ユーザーの着用を検出する近接センサ60をさらに含むことを特徴とする。
【００２１】
また、好ましくは、上記駆動制御部40はブルートゥース通信モードと補聴モードによる制御コマンドを受信して、イヤーカナルマイク21と第1外部マイク31との電気的接続をスイッチングして、これらを選択的に有効（活性）または無効（不活性）にする入力信号制御部41を含んでいる。
【００２２】
ここで、上記駆動制御部40はブルートゥース通信モード時に入力信号制御部41からイヤーカナルマイク21を介して受信されたユーザーの耳の中での音声の音響信号を増幅してデジタル音響信号に変更してデジタル信号処理DSPを介して事前に設定された方式で変調してRF送信部47Aを介してユーザー端末に送信し、RF受信部47Bを介して受信された音声信号を増幅してデジタル音響信号に変更してデジタル信号処理DSPを介して事前に設定された方式で処理して、処理された電気信号を増幅してレシーバ22に送信する音響信号処理部42を含んでいる。
【００２３】
さらに、ここで上記音響信号処理部42は事前に設定された方式で受信される音響信号について周波数ごとにその増幅量を調節する音響信号補正値を含んでいる一つ以上の聴力補正モードに応じて上記音響信号を周波数ごとに増幅量を調節することが好ましい。
【００２４】
また、本発明はイヤーカナルマイクを内蔵するブルートゥースイヤーセットに関するもので、ブルートゥース無線通信によって受信された音響信号が再生された音をユーザーの耳の中に出力するように突出して、中空の結合部が形成されてユーザーの耳の中に挿入される出力部11を含むハウジング10;ユーザーの耳の中での音声を受信して電気信号に変換するイヤーカナルマイク21が挿入されるように前方に開放されたマイク挿入部23a及び前方と後方が開放されて後方に受信された電気信号に応じて音で再生して出力するレシーバ22が挿入されて、上記レシーバ22の前方音出力部を開放してユーザーの耳の中に音を伝達する中空の隔壁によって出力管を形成するレシーバ挿入部23bが形成されているマイク/レシーバ収容モジュール23を含んでいるマイク/レシーバ収容部20;外部の音響を受信して電気信号に変換して上記レシーバで音で再生して出力されるようにする一つ以上の外部マイクを含んでいる外部音響受信部30;及びブルートゥース無線通信を制御して、音響信号の送受信と再生及びそのための構成部分の駆動制御を実行する駆動制御部40を含み、上記イヤーカナルマイク21とレシーバ22は上記マイク/レシーバ収容部20の上記マイク挿入部23aと上記レシーバ挿入部23bによって互いに隔離されて設置されていることを特徴とする。
【００２５】
好ましくは、上記マイク/レシーバ収容部20はマイク/レシーバ収容モジュール23の上記マイク挿入部23aが上記出力管を形成する隔壁23cによって上記レシーバ 挿入部23bと隔離されるように形成される。
【００２６】
ここで好ましくは、上記イヤーカナルマイク21の前方の音声受信部は上記レシーバ22の前方の音響受信部よりユーザーの鼓膜に近い前方に位置するように設置されている。
【００２７】
また、 好ましくは、マイク/レシーバ収容部20のマイク/レシーバ収容モジュール23は上記マイク挿入部23aと上記レシーバ挿入部23bを含んで一体に成形されている。
【００２８】
また、 好ましくは、上記外部音響受信部30は外部の音響を受信して電気信号に変換する第1外部マイク31と外部の音響を受信して電気信号に変換する第2マイクを含み、上記第2外部マイクはユーザーの耳の外部から受信されたユーザー自分の音声を受信し、上記第2外部マイクを介して受信されたユーザーの音声に対する音響信号に応じて上記イヤーカナルマイク21を介して受信されたユーザーの耳の中での音声の音響信号を補正する。
【００２９】
さらに、好ましくは、上記駆動制御部40はブルートゥース通信を介して接続されたユーザー端末と音響信号を送受信して上記ユーザー端末を介して音声通話を実行するブルートゥース通信モード及び外部から受信された音響信号を増幅する補聴モードを選択的に実行する。
【００３０】
ここで好ましくは、ブルートゥース通信モードの実行時に、上記ブルートゥース無線通信を介してユーザー端末から受信された音響信号を上記レシーバ22を介してユーザーの耳の中に出力するように再生して、上記イヤーカナルマイクを介して受信されたユーザーの耳の中での音声に対する電気信号を音響信号に変換してブルートゥース無線通信を介してユーザー端末に送信する。
【００３１】
ここでブルートゥース通信モードの実行時、外部マイクを介してユーザーの耳の外部から受信されたユーザー自分の音声を受信して受信されたユーザーの音声に対する音響信号に応じて上記イヤーカナルマイク21を介して受信されたユーザーの耳の中での音声の音響信号を補正することが好ましい。
【００３２】
また、ここで好ましくは、上記外部音響受信部30は外部の音響を受信して電気信号に変換する第1外部マイク31と外部の音響を受信して電気信号に変換する第2マイクを含み、補聴モードの実行時に上記第1外部マイクを介して受信された音響の電気的音響信号を上記第2外部マイクを介して受信された音響の電気的音響信号に応じて補正して、レシーバ22を介して音で再生して出力する。
【００３３】
併せて、ここで好ましくは、事前に設定された方式で受信された音響信号について周波数ごとにその増幅量を調節する音響信号補正値を含んでいる一つ以上の聴力補正モードが保存されて、上記駆動制御部40は上記聴力補正モードに応じて受信された音響信号を周波数ごとに増幅量を調節して出力する。
【００３４】
一方、ここで好ましくは、ユーザーのタッチ動作を認識する一つ以上のタッチパッドを含んでいるタッチ動作認識部50をさらに含んでいる。
【００３５】
ここで、上記タッチ動作認識部50はユーザーの第1タッチを認識する第1タッチパッド51とユーザーの第2タッチを認識する第2タッチパッド52を含み、上記第1タッチパッド51と第2タッチパッド52で認識されているユーザーの第1タッチと第2タッチの認識順序に応じて上記レシーバで再生されている音響信号の音量を調整することが好ましい。
【００３６】
また、 ここで上記タッチ動作認識部50で認識されているタッチ動作に応じて、上記ブルートゥース通信モードと補聴モードが転換されて実行されることが好ましい。
【００３７】
また、好ましくは、ユーザーの着用を検出する近接センサ60をさらに含んでいる。
【００３８】
他の側面で本発明は、イヤーカナルマイク21と外部マイクとユーザーのタッチ動作の入力を受けるタッチ動作認識部50を含んでいるイヤーカナルマイクを内蔵するブルートゥースイヤーセット100の制御方法であって、上記タッチ動作認識部50を介してユーザーのタッチ動作の入力を受けて認識して上記認識されたタッチ動作を事前に設定されたタッチ動作と比較してブルートゥース通信モードまたは補聴モードに対する選択入力であるかを判断するモード選択入力段階S10；前記モード選択入力段階S10でブルートゥース通信モードであると判断された場合、ブルートゥース通信モードを設定するブルートゥース通信モード設定段階S21;上記モード選択入力段階S10で補聴モードであると判断された場合、補聴モードを設定する補聴モード設定段階S22;を含み、上記ブルートゥース通信モード設定段階S21ではイヤーカナルマイク21と電気的に接続してイヤーカナルマイク21を有効にして外部マイク31を無効にし、上記補聴モード設定段階S22では外部マイク31と電気的に接続して外部マイク31を有効にしてイヤーカナルマイク21を無効にすることを特徴とする。
【００３９】
好ましくは、イヤーカナルマイク21と外部マイク31のうち一つ以上で受信された音響信号を処理してレシーバ22に出力して音で再生させるモード実行段階S30;上記モード実行段階S30の実行中、タッチ動作認識部50を介してユーザーのタッチ動作が入力されると、これを認識して上記認識されたタッチ動作を事前に設定されたタッチ動作と比較してモード変換に対する入力であるかを判断するモード変換入力受信段階S40;及びブルートゥース通信モードでモード変換入力があると判断された場合、補聴モード設定段階S22を実行してモード設定を補聴モードに変更し、補聴モードでモード変換入力があると判断された場合、ブルートゥース通信モード設定段階S21を実行してモード設定をブルートゥース通信モードに変更するモード設定変更段階S50を含んでいる。
【発明の効果】
【００４０】
上述したような本発明によると、イヤーカナルマイクを介して外部の騒音に影響を受けず、ユーザー端末による音声通話を実行するイヤーカナルマイクを内蔵するブルートゥースイヤーセットの機能と、難聴患者に必要な補聴機能を同時に実行する新しい概念のイヤーカナルマイクを内蔵するブルートゥースイヤーセットとその制御方法を提供できる効果がある。
【００４１】
また、本発明のイヤーカナルマイクを内蔵するブルートゥースイヤーセットは補聴機能とユーザー端末による音声通話機能を同時に実行しながらも、単純な動作で相互間の切り替えが可能で使用上便利な効果を有する。
【００４２】
さらに、本発明のイヤーカナルマイクを内蔵するブルートゥースイヤーセットは特徴的な構造と機能を介してユーザー端末による音声通話を実行するブルートゥース通信モードの通話品質が改善され、補聴機能がそれぞれ改善された効果を有する。
【発明を実施するための最良の形態】
【００４３】
以下では、添付した図面を参考にして本発明の実施例について本発明の属する技術分野における通常の知識を有する者が容易に実施できるように詳細に説明する。
しかし、本発明は様々な異なる形で具現可能であり、ここで説明する実施例に限定されるものではない。そして、図面において本発明を明確に説明するために説明と関係ない部分は省略し、明細書全体を通じて類似した部分については類似した符号を付けた。
【００４４】
また、詳細な説明を省略しても本技術分野の当業者が容易に理解できる部分の説明は省略した。明細書及び請求範囲の全体において、ある部分がある構成要素を含むというとき、これは特に反対の記載がない限り、他の構成要素を除くことではなく、他の構成要素をさらに含むことができるということを意味する。したがって、本明細書に記載された実施例と図面に示された構成では本発明を限定して説明しているが、これは本発明の最も好ましい一実施例に過ぎないだけで、本発明の技術的思想のすべてを代弁するわけではなく、本出願の時点においてこれらを代替できる様々な均等物と変形例があることを理解しなければならない。
【実施例】
【００４５】
以下、図面を参照して本発明の実施例を介して具体的に説明する。
【００４６】
図1は本発明のイヤーカナルマイクを内蔵するブルートゥースイヤーセットを利用して補聴機能とブルートゥース通信機能を同時に実行するシステムを説明するための図面である。
【００４７】
図1を参照すると、本発明のイヤーカナルマイクを内蔵するブルートゥースイヤーセット100は通話機能とブルートゥース無線通信機能を持つユーザー端末200とブルートゥース無線通信を介して連動する一般的なイヤーセットと同様にブルツトゥース無線通信による通話機能を実行し、独立して補聴機能を実行する。
【００４８】
上記ユーザー端末200には補聴モードとイヤーカナルマイクを内蔵するブルートゥースイヤーセット100の設定を調整するアプリケーション300が搭載されており、上記アプリケーション300には補聴利得値を含んでいる音響信号の一つ以上の聴力補正モードの設定値が保存されている。本実施例の場合、4つの聴力補正モードが保存されてユーザーによって選択される。
【００４９】
ユーザーは上記4つの聴力補正モードの中で自分の聴力に適切な聴力補正モードを選択して選択された聴力補正モードの設定値がブルートゥース無線通信を介してブルートゥースイヤーセット100にポーティングされ（移植され）、選択された聴力補正モードがブルートゥースイヤーセット100に設定されるように具現できる。
【００５０】
本実施例の聴力補正モードは全体難聴者の75％を占める通常70dB以下の音を聞かない軽重度の難聴者を対象にし、軽重度の難聴者に対する聴力検査結果の分析を介して、各聴力補正モードの設定値が実験的に図12に示すように一つ以上のモードで事前に設定されている。
【００５１】
イヤーセット100にポーティングされて設定された音響信号の聴力補正モードの設定値に応じてイヤーカナルマイクが内蔵されたブルートゥースイヤーセット100のAudio DSPの機能を実行する音響信号処理部が音響信号を処理して難聴患者に必要な補聴機能を独立して実行して、本発明のイヤーカナルマイクを内蔵するブルートゥースイヤーセット100がユーザー端末と連動せずに独立した補聴機構として使用されている。
【００５２】
本発明のイヤーカナルマイクを内蔵するブルートゥースイヤーセット100はイヤーカナルマイクを介して外部の騒音に影響を受けず、ユーザー端末による音声通話を実行するイヤーカナルマイクを内蔵するブルートゥースイヤーセットのブルートゥース無線通信に音声通話機能と難聴患者に必要な補聴機能を同時に実行し、補聴機能とユーザー端末による音声通話機能を同時に実行しながら、単なる動作で相互間の切り替えが可能であり、ユーザー端末による音声通話を実行するブルートゥース通信モードの通話品質が改善され、補聴機能がそれぞれ強化された後述する特徴的な機構的構造と機能的特徴を有する。
【００５３】
図2は本発明の実施例のイヤーカナルマイクを内蔵するブルートゥースイヤーセットの主要な構成の分解図、図3は本発明の実施例のイヤーカナルマイクを内蔵するブルートゥースイヤーセットのマイク/レシーバ収容部の構成を説明するための断面図、図4は本発明の実施例のイヤーカナルマイクを内蔵するブルートゥースイヤーセットの主要な構成の断面図である。
【００５４】
図2乃至図4を参照して、本発明の特徴的な機構的構造を実施例を介して説明する。図2を参照すると、本発明のイヤーカナルマイクを内蔵するブルートゥースイヤーセット100はハウジング10、マイク/レシーバ 収容部20、外部音響受信部30、及び駆動制御部40を含んで構成されている。
【００５５】
ハウジング10は外見上では一般的なイヤーセットの外観の形態を持ち、ブルートゥース無線通信によって受信された音響信号が再生された音をユーザーの耳の中に出力するように突出されて、中空の結合部が形成されてユーザーの耳の中に挿入される出力部11、上記出力部の外周面に着脱可能に結合されているイヤーカナル方式のイヤーチップ12、カバーハウジング12とウィンドウカバー13を含んで構成されている。
【００５６】
マイク/レシーバ収容部20はユーザーの耳の中での音声を受信して電気信号に変換するイヤーカナルマイク21、受信された電気信号に応じて音で再生して出力するレシーバ22とイヤーカナルマイク21が挿入されるように前方に開放されたマイク挿入部23a及び前方と後方が開放されて後方にレシーバ22が挿入されて、上記レシーバ22の前方音出力部を開放してユーザーの耳の中に音を伝達する中空の隔壁によって出力管を形成するレシーバ挿入部  23bが形成されたマイク/レシーバ収容モジュール23を含んで構成されている。
【００５７】
イヤーカナルマイク21はユーザーの耳の中での音声を受信して電気信号に変換し、ユーザーの耳の中に挿入されて外部の騒音を遮断して音声通話時にユーザーの音声のみを通話者に伝達する効果を持ち、効率的な騒音遮断のために本実施例の場合イヤーカナル方式のイヤーチップ  12が使用され、イヤーカナルマイク21は上記出力部11の前方のユーザーの耳の中に位置する設置位置を有する。
【００５８】
イヤーカナルマイク21はMEMSマイク、すなわち、微細電子機械システム（Micro−electromechanical Systems; MEMS）の形で製作されたマイクが使用されることが好ましい。
レシーバ 23はユーザーの耳の中の音声を受信して電気信号に変換し、小型化と優れた感度の利点を持つバランスドアマチュア（Balanced Armature; BA）ドライバーが使用されることが好ましい。
【００５９】
マイク/レシーバ収容モジュール23の上記マイク挿入部23aとレシーバ挿入部23bの構造的特徴によって上記イヤーカナルマイク21とレシーバ22は上記マイク/レシーバ収容部20の上記マイク挿入部23aと上記レシーバ挿入部23bによって互いに隔離されて設置されている。
【００６０】
上記イヤーカナルマイク21とレシーバ22が上記マイク/レシーバ収容部20の上記マイク挿入部23aと上記レシーバ挿入部23bによる分離によって、イヤーカナルマイク21とレシーバ22が同じ密閉空間であるユーザーの耳の中、すなわち、外耳道の内で一緒に動作する。したがって、音声通話時にユーザー端末から転送されてレシーバで再生されている音声通話の相手の音声がイヤーカナルマイクから受信されて、音声通話の相手が自分が言った音声を少しの時差を置いて再び聞いている現象、すなわち、エコないし響き現象を機構的な構造を介して防止できるようになる。
【００６１】
また、これに加えて、これらのエコないし響き現象は後述する音響信号処理部のエコキャンセレーション（Echo Cancelation）処理部による音響信号のエコキャンセレーション処理の方法を介してより完全に除去できるようになる。
【００６２】
本実施例において、イヤーカナルマイクを内蔵するブルートゥースイヤーセットのマイク/レシーバ収容部が上記のようなシールド構造を有するようにするために、 図3を参照すると、マイク/レシーバ収容モジュール23のレシーバ挿入部23aは前方と後方が開放されて後方にレシーバ22が挿入され、上記レシーバ22の前方音出力部を開放してユーザーの耳の中に音を伝達する中空の隔壁23cによって出力管を形成し、上記マイク挿入部23aは出力管を形成する隔壁23cによって上記レシーバ挿入部23bと隔離されるように形成された構造を有する。
【００６３】
マイク挿入部23aは上記隔壁23cの外側面に前方に開放された形で上記隔壁23cと一体に形成された構造を持ち、ここで前方はユーザーの耳の方向、または耳の外耳道内では鼓膜の方向を指す。
【００６４】
図3に示すように、上記イヤーカナルマイク21の前方の音声受信部は上記レシーバ22の前方の音響受信部よりユーザーの鼓膜に近い前方に位置するように設置されることが好ましく、これを介して耳の中でのユーザーの音声をより明確に受信し、レシーバで再生されている音響との干渉を最小限に抑えることができるようになる。 
【００６５】
マイク/レシーバ収容部20のマイク/レシーバ収容モジュール23は上記マイク挿入部23aと上記レシーバ挿入部23bを含んで一体に成形されることが好ましく、シリコン材質またはラバー材質を製作に使用することができる。
【００６６】
外部音響受信部30は外部の音響を受信して電気信号に変換して上記レシーバ22で音で再生して出力されるようにする一つ以上の外部マイクを含んで構成されている。
【００６７】
本実施例の場合、外部の音響を受信して電気信号に変換する第1外部マイク31と外部の音響を受信して電気信号に変換する第2マイク32を含んでいる。
【００６８】
上記第2外部マイク31はユーザーの耳の外部から受信されたユーザー自分の音声を受信し、上記第2外部マイク32を介して受信されたユーザーの音声に対する音響信号に応じて上記イヤーカナルマイク21を介して受信されたユーザーの耳の中での音声の音響信号を補正するように構成されている。
【００６９】
駆動制御部40はブルートゥース無線通信を制御し、音響信号の送受信と再生及びそのための構成部分の駆動制御を実行する機能を実行する。 図4のように、構造的には上部PCB40a、電源部を構成するバッテリー42bと下部PCB40cで構成され、前記上部PCB40aと下部PCB40cに上記機能を実行するための各種の電気/電子部品が実装されて各種の接点と配線が形成される。
【００７０】
本発明において、上記駆動制御部40はブルートゥース通信を介して接続されたユーザー端末と音響信号を送受信して上記ユーザー端末による音声通話を実行するブルートゥース通信モードと外部から受信された音響信号を増幅する補聴モードを選択的に実行する。
【００７１】
ブルートゥース通信モードの実行において、ユーザー端末とブルートゥース無線通信によって接続されて、一般的なブルートゥースイヤーセットの機能を実行する。 また、 上述した機構的なシールド構造に加えて、内蔵された音響信号処理アルゴリズム、例えば音響信号のエコキャンセレーション処理によってイヤーカナルマイクを使用することによって、発生するエコないしハウリングを除去する機能を実行する。
【００７２】
ブルートゥース通信モードの実行時に、上記ブルートゥース無線通信を介してユーザー端末から受信された音響信号を上記レシーバ22を介してユーザーの耳の中に出力するように再生して、上記イヤーカナルマイクを介して受信されたユーザーの耳の中の音声に対する電気信号を音響信号に変換してブルートゥース無線通信を介してユーザー端末に送信する機能を実行する。
【００７３】
また、ブルートゥース通信モードの実行時、外部マイクを介してユーザーの耳の外部から受信されたユーザー自分の音声を受信して、受信されたユーザーの音声に対する音響信号に応じて上記イヤーカナルマイク21を介して受信されたユーザーの耳の中の音声の音響信号を補正、すなわち、イヤーキャナルマイク21を主マイクで使用して、外部マイク、すなわち、第1外部マイクまたは第2外部マイクを補助マイクで使用して、補助マイクを介して受信されたユーザー自分の音声の音色を基礎として主マイクであるイヤーカナルマイク21を介して受信されたユーザーの耳の中の音声の音響信号の音色を補正する機能を実行する。
【００７４】
事前に設定された方式で受信された音響信号について周波数ごとにその増幅量を調節する音響信号補正値を含んでいる一つ以上の聴力補正モードが保存されて、上記駆動制御部40は上記聴力補正モードに応じて受信された音響信号を周波数ごとに増幅量を調節して出力する。
【００７５】
一方、補聴モードの実行時には上記外部音響受信部30の第1外部マイク31を介して受信された音響の電気的音響信号を上記聴力補正モードに応じて周波数ごとに増幅量を調節して出力する機能を実行する。
【００７６】
ここで、前記外部音響受信部30の上記第1外部マイク31を介して受信された音響の電気的音響信号を第2外部マイク32を介して受信された音響の電気的音響信号に応じて補正して、レシーバ22を介して音で再生して出力する機能を実行する。
【００７７】
また、 本実施例の場合、イヤーカナルマイクを内蔵するブルートゥースイヤーセットの電源のON/OFF（動作のON/OFF待機状態への進入または電源の強制ON/OFF）と各モードの切り替えなどのためにユーザーのタッチ動作を認識する一つ以上のタッチパッドを含んでいるタッチ動作認識部50をさらに含んで構成されている。
【００７８】
本実施例のタッチ動作認識部50はユーザーの第1タッチを認識する第1タッチパッド51とユーザーの第2タッチを認識する第2タッチパッド52を含み、上記第1タッチパッド51と第2タッチパッド52、2つのタッチパッドそれぞれを介して認識される使用のタッチの状態、またはタッチの認識順に応じて電話の受信時、上記補聴モードでブルートゥース通信モードに切り替えて音声通話を起動したり、音声通話を終了したり、 この同時に補聴モードに転換する動作を実行することができる。
【００７９】
また、ユーザーの第1タッチと第2タッチの認識順序に応じて上記レシーバで再生されている音響信号の音量を調整することも可能である。
【００８０】
また、 本実施例の場合、ユーザーの着用を検出する近接センサ60をさらに含み、近接センサ60を使用して、動作のON/OFF待機状態でユーザーがブルートゥースイヤーセットを耳から分離すると自動的に機器の電源がOffされるようにし、逆にユーザーがブルートゥースイヤーセットを耳に装着すると電源がONされるようにして消費される電力を最小化することができる。
【００８１】
併せて、ユーザーに機器の動作状態とバッテリーの状態を視覚的に通知する表示部（図示せず）をさらに含むことができ、本実施例の場合、3つのLEDが使用されている。
【００８２】
図5は本発明の実施例のイヤーカナルマイクを内蔵するブルートゥースイヤーセットの機能ブロック図であり、図6は本発明の実施例のイヤーカナルマイクを内蔵するブルートゥースイヤーセットの入力信号制御部42と音響信号処理部43の主な機能と動作を説明するための図面である。
【００８３】
図5及び図6を参照して本発明の機能的特徴について説明すると、本発明は上述したイヤーカナルマイクを内蔵するブルートゥースイヤーセット100のマイク/レシーバ収容部20に含んでいるイヤーカナルマイク21とレシーバ22、外部音響受信部30に含んでいる第1外部マイク31と第2外部マイク32に対する駆動制御部40の制御と音響信号処理機能によって、上述したブルートゥース通信を介して接続されたユーザー端末と音響信号を送受信して上記ユーザー端末による音声通話を実行するブルートゥース通信モードと外部から受信された音響信号を増幅する補聴モードを選択的に実行する。
【００８４】
併せて、本発明は上記タッチ動作認識部50を構成するキー入力部（タッチパッド）、ユーザーの着用を検出する近接センサ60と表示部70に対する駆動制御部40の制御と入力信号の処理機能によって、ブルートゥース通信モードと補聴モードの実行のためのユーザーの選択入力を受信し、動作状態などを表示する機能を実行する。
【００８５】
したがって、駆動制御部40の構成と各機能を中心に本発明のイヤーカナルマイクを内蔵するブルートゥースイヤーセットの機能的構成を以下に説明する。
【００８６】
図5を参照すると、駆動制御部40は入力信号制御部41、音響信号処理部42、電源制御部43、メモリ44、I/F制御部45、中央処理部46、RF送信部47AとRF受信部47B、及び電源部と電源充電部を含んで構成されている。
【００８７】
入力信号制御部41は中央処理部46のブルートゥース通信モードと補聴モードによる制御コマンドを受信して、イヤーカナルマイク21と第1外部マイク31との電気的接続をスイッチングして、これらを選択的に有効または無効にして受信された音響信号を中央処理部46を介して音響信号処理部43に伝達する。
【００８８】
すなわち、入力信号制御部41はブルートゥース通信モード時にイヤーカナルマイク21との電気的接続を介してこれを有効にして、イヤーカナルマイク21を介して受信されたユーザーの耳の中の音声の音響信号を中央処理部46を介して音響信号処理部42に伝達する。
【００８９】
一方、入力信号制御部41は補聴モード時に第1外部マイク31との接続を介してこれを有効にして、イヤーカナルマイク21との電気的接続を断絶してこれを無効にし、第1外部マイク31から受信された外部音響信号を中央処理部46を介して音響信号処理部42に伝達する。
【００９０】
併せて、入力信号制御部41は第2外部マイク32から受信された外部音響信号を中央処理部46を介して音響信号処理部42に伝達する。
【００９１】
音響信号処理部42はブルートゥース通信モード時、中央処理部46を介して入力信号制御部41から受信されたイヤーカナルマイク21を介して受信されたユーザーの耳の中での音声の音響信号を増幅し、デジタル音響信号に変更してデジタル信号処理DSPを介して事前に設定された方式で変調してRF送信部47Aを介してユーザー端末に送信する。
【００９２】
また、RF受信部47Bを介して受信された音声信号を増幅し、デジタル音響信号に変更してデジタル信号処理DSPを介して事前に設定された方式で処理して、処理された電気信号を増幅してレシーバ22に送信して音で再生されるようにする。 
【００９３】
ここで、聴力補正モードの音響信号補正値に応じて事前に設定された方式で受信された音響信号について周波数ごとにその増幅量が調節され、レシーバ22に転送される。
【００９４】
また、 上記デジタル信号処理  DSPの過程は第2外部マイク32から受信された外部音響信号を中央処理部46を介して伝達を受けてユーザーの音声に対する音響信号を抽出し、ユーザーの音声に対する音響信号を基礎として上記イヤーカナルマイク21を介して受信されたユーザーの耳の中での音声の音響信号を補正する過程を含んでいる。
【００９５】
一方、音響信号処理部42は補聴モード時、中央処理部46を介して入力信号制御部41から受信された第1外部マイク31を介して受信された外部音響信号を増幅し、デジタル音響信号に変更してデジタル信号処理DSPを介して事前設定された方式で処理して、処理された電気信号を増幅してレシーバ22に送信して音で再生されるようにする。
【００９６】
ここで、聴力補正モードの音響信号補正値に応じて事前に設定された方式で受信された音響信号について周波数ごとにその増幅量が調節され、レシーバ22に転送される。
【００９７】
また、上記デジタル信号処理DSPは第2外部マイク32から受信された外部音響信号を中央処理部46を介して伝達を受けて上記音響信号を基礎として第1外部マイク31を介して受信された音響信号を補正する過程を含んでいる。
【００９８】
電源制御部 43は中央処理部46の制御コマンドに応じてバッテリー40bから供給される電源のON/OFFを制御し、電源充電部の動作を制御する。
【００９９】
また、電源制御部43は電源部または電源充電部から、電源の状態、すなわち、充電が完了しているかどうか、放電しているかどうか、または充電が進行しているかどうかを検出して中央処理部46に送信して、表示部70に事前設定された方式で表示されるようにする。
【０１００】
メモリ 44には、デジタル信号処理DSPのためのアルゴリズムと聴力補正モードの音響信号補正値などのデータを含んでいる各種の設定データとイヤーカナルマイクを内蔵するブルートゥースイヤーセットの駆動のための制御アルゴリズムがプログラムの形で保存されて、中央処理部46の呼び出しに応じて使用されている。
【０１０１】
I/F 制御部45は中央処理部46の制御コマンドに応じてキー入力部(タッチパッド)、ユーザーの着用を検出する近接センサ60と表示部70を制御して、キー入力部(タッチパッド)からのタッチ入力を受信して中央処理部46に伝達し、近接センサ60からの近接検出信号を受信して中央処理部46に伝達する。
【０１０２】
中央処理部 46はブルートゥース通信モードと補聴モードに応じて上述した入力信号制御部41と音響信号処理部42の動作を制御する制御コマンドを生成し、制御部41と音響信号処理部42の動作を制御し、制御部41と音響信号処理部42の動作を制御する制御コマンドはキー入力部（タッチパッド）を介して認識されたユーザーの入力ないしタッチ認識に基づいている。
【０１０３】
すなわち、上述した上記タッチ動作認識部50を構成するキー入力部（タッチパッド）はユーザーの第1タッチを認識する第1タッチパッド51とユーザーの第2タッチを認識する第2タッチパッド52の2つのタッチパッドで構成されている場合、ユーザーの入力ないしタッチ認識で、第1タッチパッド51と第2タッチパッド52の一つ以上に対してタッチが持続されている時間と第1タッチパッド51と第2タッチパッド52に対するタッチ順序に応じてブルートゥース通信モードと補聴モード間にモードを切り替えたり、そのモードを終了する制御コマンドを生成して送信する。また、このようなキー入力部（タッチパッド）を介して認識されたユーザーの入力ないしタッチ認識に基づいて電源のON/OFFを制御するための制御コマンドを生成して送信することもできる。
【０１０４】
上記のように、どのようなユーザーの入力ないしタッチ認識に応じてどのような制御コマンドを生成するかについては、ユーザーによって事前設定されて駆動プログラムに含まれて保存及び設定変更されることができる。
【０１０５】
例えば、第1タッチパッド51と第2タッチパッド52で一定時間の間隔を置いてタッチが認識されている場合、その方向に応じてボリュームを上げたり、下げる制御コマンドを生成し、ブルートゥース通信モードで第1タッチパッド51と第2タッチパッド52のうち一つについてタッチが第1時間の間に持続する場合は補聴モードに切り替えて、補聴モードで第1タッチパッド51と第2タッチパッド52のうち一つについて第1時間の間にタッチが持続する場合はブルートゥース通信モードに転換する制御コマンドを生成することができる。 また、第1タッチパッド51と第2タッチパッド52のうち一つ以上について第2時間の間にタッチが持続する場合、電源を電源のON/OFFを制御するための制御コマンドを生成するように設定される。
【０１０６】
併せて、上記中央処理部46は上述した近接センサ60からの事前に設定された近接しているかどうかに対する電気的信号で上記電源のON/OFFを制御するための制御コマンドを生成し、電源制御部43に送信し、それ以外にユーザー端末とのブルートゥース無線通信を制御して、保存された駆動プログラムに応じてイヤーカナルマイクを内蔵するブルートゥースイヤーセットの動作を制御する機能を実行する。
【０１０７】
RF 送信部47AとRF受信部47Bはブルートゥース無線通信を介してユーザー端末と音声通話のための信号を送受信し、上述したユーザー端末200に搭載されたアプリケーション  300を介して聴覚補正値などの各種の設定データとかかる駆動プログラムを受信する機能を実行する。
【０１０８】
図6及び図7を参照して、本発明の実施例のイヤーカナルマイクを内蔵するブルートゥースイヤーセットの入力信号制御部41と音響信号処理部42の主な機能と動作を音響信号処理過程を中心により具体的に説明する。
【０１０９】
図6及び図7を参照すると、入力信号制御部41は中央処理部46のブルートゥース通信モードと補聴モードによる制御コマンドを受信する。 これによって、イヤーカナルマイク21と第1外部マイク31との電気的接続をスイッチングする。
【０１１０】
図6の場合、ブルートゥース通信モードに応じた制御コマンドを受信した場合で、イヤーカナルマイク21と電気的に接続してイヤーカナルマイク21を有効にして第1外部マイク31を無効にする。
【０１１１】
これに応じて、入力信号処理部41はイヤーカナルマイクを介して受信されたユーザーの耳の中での音声に対する音響信号を中央処理部46を介して音響信号処理部42に伝達し、第2外部マイクからユーザーの耳の外部から受信されたユーザー自分の音声を受信して受信されたユーザーの音声に対する音響信号を中央処理部46を介して音響信号処理部42に伝達する。
【０１１２】
一方、図7の場合、補聴モードに応じた制御コマンドを受信した場合で、補聴モード時には第1外部マイク31と電気的に接続して第1外部マイク31を有効にしてイヤーカナルマイク21を無効にする。
【０１１３】
これに応じて、入力信号処理部41は第1外部マイク31を介して受信された外部音響に対する音響信号を中央処理部46を介して音響信号処理部42に伝達し、第2外部マイク32から外部の音響に対する音響信号を中央処理部46を介して音響信号処理部42に伝達する。
【０１１４】
図6を参照すると、 ブルートゥース通信モードに応じた制御コマンドを受信した音響信号処理部42は機能的にこれを構成する入力信号増幅部、入力信号変換部、エコキャンセレーション（Echo Cancelation）処理部、ノイズフィルタ、イコライザー（聴力補正モード）、信号強度補正部、出力信号増幅部を選択的に活性化して必要な機能を実行する。
ブルートゥース通信モード時には、イヤーカナルマイク21から受信されて転送されたユーザーの耳の中での音声に対する音響信号を処理してRF送信部47Aを介してユーザー端末に送信して、RF受信部47Bを介してユーザー端末から送信された通話音声に対する音響信号を処理してレシーバ22に出力して音として再生されるようにする。
【０１１５】
[ブルートゥース通信モード時の音響信号処理]
イヤーカナルマイク21から受信されて転送されたユーザーの耳の中での音声に対する音響信号処理過程を具体的に説明する。
【０１１６】
ブルートゥース通信モード時、音響信号処理はイヤーカナルマイク21から受信されて転送されたユーザーの耳の中での音声に対する音響信号を処理してRF送信部47Aに送信する過程とRF受信部47Bを介してユーザー端末から送信された通話音声に対する音響信号を処理してレシーバ22に出力して音として再生されるようにする過程で区分されて実行される。
【０１１７】
イヤーカナルマイク21から受信されて転送されたユーザーの耳の中での音声に対する音響信号に対しては、42a部分の入力信号増幅部、入力信号変換部、エコキャンセレーション処理部、ノイズフィルタ、信号強度補正部、出力信号増幅部を活性化して次のようなデジタル音響信号処理を実行する。
【０１１８】
イヤーカナルマイク21から受信されて転送されたユーザーの耳の中での音声に対する音響信号が受信されると、入力信号増幅部はユーザーの耳の中での音声に対する音響信号を増幅する。
【０１１９】
入力信号変換部は、増幅された上記音響信号についてDSP処理のために入力信号変換部でADC（Analog Digital Converting）処理、すなわち、デジタル信号に変換する入力信号変換過程を実行してデジタル音響信号に変換する。
【０１２０】
また、入力信号変換部はノイズフィルタでノイズを除去したり、減少させる作業を実行する前の段階で、イヤーカナルマイク21で受信されたユーザーの耳の中での音声に対する音響信号を第2外部マイク32に入力された音響信号に基づいて補正することにより、イヤーカナルマイク21を介して受信されたユーザーの耳の中での音声に対する音響信号のユーザー音色を外部から聞こえるユーザーの音声の音色の音響信号に補正する前処理作業を実行する。
【０１２１】
例えば、イヤーカナルマイクを使用すると、音響信号にはユーザーの音声のうち高周波成分がなくなったり減少し、低周波成分の音声に対する音響信号のみ残って、外部から聴取されるユーザーの音色と違いを持つようになる。
【０１２２】
これに応じて、第2外部マイク31を介して入力された音響信号のうち外部ノイズを除去し、ユーザーの音声に対する音響信号を抽出した後、周波数ごとに感度を調整して低周波成分を除去して残りの高周波成分の音響信号をイヤーカナルマイクから入力された音響信号と合成する方式で、第2外部マイクを介して受信されたユーザーの音声に対する音響信号に応じて上記イヤーカナルマイク21を介して受信されたユーザーの耳の中での音声の音響信号を補正してユーザーの音色に近い音響信号に補正することができる。
【０１２３】
これにより、ヤーカナルマイクを介して受信されたユーザーの耳の中での音声に対する音響信号の再生時、これを聴取するユーザーは厄介な音色の経験を最小化することができる。
【０１２４】
エコキャンセレーション処理部は、イヤーカナルマイクを介して受信された音響信号に、レシーバを介して再生されている相手の音響信号が流入されて発生される現象を減らすために、レシーバで出力される音響信号とイヤーカナルマイクで入力された信号の時間差を利用して、エコーキャンセレーション処理が実行される。例えば、音響信号に対する事前に設定された時間への遅延処理を介してエコーキャンセレーション処理が実行される。
【０１２５】
ノイズフィルタは上記音色補正とエコキャンセレーション処理されたデジタル音響信号について、マイクで入力された信号を介して入力された周辺のノイズと風の音、または端末の内部で電気的に発生するホワイト・ノイズなどのノイズを除去するノイズフィルタリング過程を実行する。 これは一般的な上記ノイズの特性が考慮されたノイズ除去アルゴリズムで具現されている。
【０１２６】
信号強度補正部は、上述したようにデジタル処理されたイヤーカナルマイク21から受信された音響信号が一定の音量で再生されるように信号強度を調整する信号強度補正過程を実行して、小さなレベルの音は大きくし、大きなレベルの音は小さくして相手が通話を円滑に実行することができるようにする。
【０１２７】
出力信号増幅部は、ユーザーが選択したか変更するボリュームのサイズに合わせて増幅して出力する出力信号増幅過程を実行する。
【０１２８】
上記のように音響信号処理されたユーザーの耳の中での音声に対する音響信号は、RF送信部47Aを介してブルートゥース無線通信方式でユーザー端末に転送される。
【０１２９】
RF 受信部47Bを介して送信された通話音声に対する音響信号を処理する過程において、ブルートゥース無線通信を介して受信されて変換された音響信号はデジタル音響信号の形態である。
【０１３０】
したがって、RF受信部47Bを介して送信された通話音声に対する音響信号については、42b部分のノイズフィルタ、イコライザー（聴力補正モード）、信号強度補正部、出力信号増幅部を有効にして（活性化して）、次のようなデジタル音響信号処理を実行する。
【０１３１】
ノイズフィルタは、ブルートゥース無線通信を介して受信されたデジタル音響信号について、端末の内部で電気的に発生するホワイト・ノイズなどのノイズを除去するノイズフィルタリング過程を実行する。これは上記の一般的なノイズの特性が考慮されたノイズ除去アルゴリズムで具現されている。
【０１３２】
イコライザー（聴力補正モード）は、事前に設定された方式で受信された音響信号について周波数ごとにその増幅量を調節する音響信号補正値を含んでいる一つ以上の聴力補正モードに応じて上記音響信号を周波数ごとに増幅量を調節する補正モード補正値適用過程を実行する。
【０１３３】
信号強度補正部は、信号強度を調整する信号強度補正過程を実行する。 信号強度 補正過程は、レシーバが信号を一定のサイズで出力するように信号強度を調整する。
【０１３４】
これによって、小さな音は大きくしてユーザーがよく聞くようにして、あまりにも大きい音が入力されてユーザーの耳を損傷させること防止するために、一定のレベル以上の大きな音の入力信号は減らして、ユーザーの耳を保護するように信号強度を調整する。
【０１３５】
出力信号増幅部は、ユーザーが選択したか変更するボリュームのサイズに合わせて増幅して出力する出力信号増幅過程を実行する。
【０１３６】
上記のように、音響信号処理されたRF受信部47Bを介してユーザー端末から送信された通話音声に対する音響信号はレシーバ22に出力して音として再生される。
【０１３７】
実施例に応じて、上記音響信号処理されたRF受信部47Bを介してユーザー端末から送信された通話音声に対する音響信号は、上記とは別に音響信号処理されたユーザーの耳の中での音声に対する音響信号と一緒にレシーバ22に出力して音として再生されることができる。
【０１３８】
図7を参照すると、補聴モードによる制御コマンドを受信した音響信号処理部42は機能的にこれを構成する42c部分の入力信号増幅部、入力信号変換部、エコキャンセレーション処理部、ノイズフィルタ、イコライザー（聴力補正モード）、信号強度補正部、出力信号増幅部を選択的に活性化して必要な機能を実行する。
【０１３９】
補聴モード時には、入力信号処理部41は第1外部マイク31を介して受信された外部の音響に対する音響信号を中央処理部46を介して音響信号処理部42に伝達し、第2外部マイク32から外部の音響に対する音響信号を中央処理部46を介して音響信号処理部42に伝達する。
【０１４０】
[補聴モード時の音響信号処理]
補聴モード時には、第1外部マイク31から受信されて転送された外部の音響に対する音響信号を処理してレシーバ22に出力して音として再生されるようにする。補聴モードでは第1外部マイクと第2外部マイクが有効になって、第1外部マイク31が主マイクで動作し、第2外部マイクが外部の音響信号を補正するための補助マイクで使用されている。
【０１４１】
入力信号増幅部は、第1外部マイク31と第2外部マイク32から受信されて転送された外部の音響に対する音響信号を増幅する入力信号増幅過程を実行する。
【０１４２】
入力信号変換部は、増幅された上記音響信号についてDSP処理のために入力信号変換部でADC（Analog Digital Converting）処理を実行してデジタル音響信号に変換する。
【０１４３】
また、ノイズフィルタでノイズを除去したり減少させる作業を実行する前の段階で、入力信号変換部は上記第1外部マイクを介して受信された音響の電気的音響信号を上記第2外部マイクを介して受信された音響の電気的音響信号に応じて補正する前処理作業を実行する。
【０１４４】
例えば、主マイクである第1外部マイクと補助マイクである第2外部マイクの間の音響信号の強度を調整して、第1外部マイク31と第2外部マイク32に入力された音響信号の周波数成分の違いを分析して、違いがある周波数成分を前処理で除去することによりノイズ除去効果を高めることができる。
【０１４５】
本実施例の場合、補聴モードにおいて通常エコキャンセレーション過程930が省略されたが、実施例に応じては一般的なエコーキャンセレーション部ないし過程が付加されることもある。
【０１４６】
ノイズフィルタは、補正されたデジタル音響信号について、入力される周辺のノイズと風の音、または端末の内部で電気的に発生するホワイト・ノイズなどのノイズを除去するノイズフィルタリング過程を実行する。これは一般的な上記ノイズの特性が考慮されたノイズ除去アルゴリズムで具現されている。
【０１４７】
イコライザー（聴力補正モード）は事前に設定された方式で受信された音響信号について周波数ごとにその増幅量を調節する音響信号補正値を含んでいる一つ以上の聴力補正モードに応じて上記音響信号を周波数ごとに増幅量を調節する補正モード補正値適用過程を実行する。
【０１４８】
信号強度補正部は、一定の信号のサイズでレシーバに出力するように信号強度を調整する信号強度補正過程を実行する。これを介して、小さな音は大きくしてユーザーがよく聞くようにして、あまりにも大きな音が入力されてユーザーの耳を損傷させることを防止するために一定のレベル以上に大きな音で入力された信号は減らしてユーザーの耳を保護するために信号強度を調整する。
【０１４９】
出力信号増幅部は、ユーザーが選択したか変更するボリュームのサイズに合わせて増幅して出力する出力信号増幅過程を実行する。
【０１５０】
上記のように、音響信号処理された第1外部マイク31から受信されて転送された外部の音響に対する音響信号はレシーバ22に出力して音として再生される。
【０１５１】
図8は本発明の実施例のイヤーカナルマイクを内蔵するブルートゥースイヤーセットの制御方法のフローチャートである。
【０１５２】
イヤーカナルマイクを内蔵するブルートゥースイヤーセットの制御方法は基本的には、イヤーカナルマイク21と外部マイクとユーザーのタッチ動作の入力を受けるタッチ動作認識部50を含んでいるイヤーカナルマイクを内蔵するブルートゥースイヤーセット100の制御方法である。
【０１５３】
本制御方法は、上記タッチ動作認識部50を介してユーザーのタッチ動作の入力を受けて認識して、上記認識されたタッチ動作を事前に設定されたタッチ動作と比較してブルートゥース通信モードまたは補聴モードに対する選択入力であるかを判断するモード選択入力段階S10；前記モード選択入力段階S10でブルートゥース通信モードであると判断された場合、ブルートゥース通信モードを設定するブルトゥース通信モード設定段階S21;上記モード選択入力段階S10で補聴モードであると判断された場合、補聴モードを設定する補聴モード設定段階S22;を含み、上記ブルートゥース通信モード設定段階S21ではイヤーカナルマイク21と電気的に接続してイヤーカナルマイク21を有効にして外部マイク31を無効にし、上記補聴モード設定段階S22では外部マイク31と電気的に接続して外部マイク31を有効にしてイヤーカナルマイク21を無効にすることを特徴とする。
【０１５４】
また、付加的に、イヤーカナルマイク21と外部マイク31のうち一つ以上で受信された音響信号を処理してレシーバ22に出力して音として再生させるモード実行段階S30;上記モード実行段階S30の実行中、タッチ動作認識部50を介してユーザーのタッチ動作が入力されると、これを認識して上記認識されたタッチ動作を事前に設定されたタッチ動作と比較してモード変換に対する入力なのかを判断するモード変換入力受信段階S40;及びブルートゥース通信モードでモード変換入力があると判断された場合、補聴モード設定段階S22を実行してモード設定を補聴モードに変更し、補聴モードでモード変換入力があると判断された場合、ブルートゥース通信モード設定段階S21を実行してモード設定をブルートゥース通信モードに変更するモード設定変更段階S50を含んで実行される。
【０１５５】
図8を参照して、本発明のイヤーカナルマイクを内蔵するブルートゥースイヤーセットのモード設定制御過程を詳しく説明する。
【０１５６】
本発明のイヤーカナルマイクを内蔵するブルートゥースイヤーセットの電源がONされたり、電源のON/OFF待機状態で近接センサ60でユーザーの着用が検出されると動作のON待機状態に進入し、タッチ動作認識部50による動作モード選択入力を待機する。
【０１５７】
続いて、タッチ動作認識部50を介してユーザーのタッチ動作の入力を受けて認識して、上記認識されたタッチ動作を事前設定されたタッチ動作と比較してブルートゥース通信モードまたは補聴モードに対する選択入力であるかを判断するモード選択入力段階S10が実行される。
【０１５８】
上記モード選択入力段階S10でブルートゥース通信モードであると判断された場合はブルートゥース通信モード設定段階S21を実行し、補聴モードであると判断された場合は補聴モード設定段階S22を実行する。
【０１５９】
ブルートゥース通信モード設定段階S21では、上記中央処理部46はブルートゥース通信モードによる制御コマンドを生成し、入力信号処理部41に転送して、 これを受信した入力信号処理部41はイヤーカナルマイク21と電気的に接続してイヤーカナルマイク21を有効にして第1外部マイク31を無効にする。
【０１６０】
これに応じて、入力信号処理部41がイヤーカナルマイクを介して受信されたユーザーの耳の中での音声に対する音響信号を中央処理部46を介して音響信号処理部42に伝達し、第2外部マイクからユーザーの耳の外部から受信されたユーザー自分の音声を受信して受信されたユーザーの音声に対する音響信号を中央処理部46を介して音響信号処理部42に伝達して音響信号処理部42はこれを処理して、ユーザーの耳の中での音声に対する音響信号はRF送信部47Aを介してブルートゥース無線通信方式でユーザー端末に送信して、RF受信部47Bを介してユーザー端末から送信された通話音声に対する音響信号を処理してレシーバ22に出力して音として再生させるモード実行段階S30が実行される。
【０１６１】
補聴モード設定段階S22では、上記中央処理部46は補聴モードによる制御コマンドを生成し、入力信号処理部41に転送して、これを受信した入力信号処理部41は第1外部マイク31と電気的に接続して第1外部マイク31を有効にしてイヤーカナルマイク21を無効にする。
【０１６２】
これに応じて、入力信号処理部41が第1外部マイク31を介して受信された外部の音響に対する音響信号を中央処理部46を介して音響信号処理部42に伝達し、第2外部マイクから外部の音響に対する音響信号を中央処理部46を介して音響信号処理部42に伝達し、受信した音響信号を処理してレシーバ22に出力して音として再生させるモード実行段階S30が実行される。
【０１６３】
モード変換入力受信段階S40はモード実行段階S30の実行中にタッチ動作認識部50を介してユーザーのタッチ動作が入力されると、これを認識して上記認識されたタッチ動作を事前に設定されたタッチ動作と比較してモード変換に対する入力であるかを判断する。
【０１６４】
また、実施例に応じては、補聴モードの実行中にユーザー端末での電話の着信があるかどうかを判断する。
【０１６５】
モード設定変更段階S50はブルートゥース通信モードでモード変換入力があると判断された場合、補聴モード設定段階S22を実行してモード設定を補聴モードに変更し、補聴モードでモード変換入力があると判断された場合、ブルートゥース通信モード設定段階S21を実行してモード設定をブルートゥース通信モードに変更する。
【０１６６】
また、実施例に応じては補聴モードの実行中にユーザー端末での電話の着信があると判断された場合、ブルートゥース通信モード設定段階S21を実行してモード設定をブルートゥース通信モードに変更する。
【０１６７】
さらに、実施例に応じては、本発明のイヤーカナルマイクを内蔵するブルートゥースイヤーセットのモード設定制御過程は、モード選択入力段階S10の前に電源のON時に自動的に補聴モード設定段階S22が実行されて、続いてモード変換入力受信段階S40でモード変換入力または電話の着信があるかどうかを判断して、モード設定変更段階S50を介してブルートゥース通信モード設定段階S21を実行してモード設定をブルートゥース通信モードに変更する方式で実行されることもある。
【０１６８】
図9は本発明の実施例のイヤーカナルマイクを内蔵するブルートゥースイヤーセットのブルートゥース通信モード実行方法のフローチャート、図10は本発明の実施例のイヤーカナルマイクを内蔵するブルートゥースイヤーセットの補聴モード実行方法のフローチャート、図11は本発明の実施例のイヤーカナルマイクを内蔵するブルートゥースイヤーセットの音響信号処理方法のフローチャート、図12は本発明の実施例のイヤーカナルマイクを内蔵するブルートゥースイヤーセットの聴力補正モードの具現例である。
【０１６９】
図9乃至図12を参照して、イヤーカナルマイクを内蔵するブルートゥースイヤーセットのブルートゥース通信モードと補聴モード実行方法の実施例を詳しく説明する。
【０１７０】
図9を参照すると、基本的なブルートゥース通信モードでは本発明のイヤーカナルマイクを内蔵するブルートゥースイヤーセットの電源がONになったり、電源のON/OFF待機状態で近接センサ60でユーザーの着用が検出されると動作のON待機状態に進入し、タッチ動作認識部50による動作モード選択入力を待機して、続いてタッチ動作認識部50を介してユーザーのタッチ動作の入力を受けて認識して、上記認識されたタッチ動作を事前に設定されたタッチ動作と比較してブルートゥース通信モードまたは補聴モードに対する選択入力であるかを判断するモード選択入力段階S10が実行される。
【０１７１】
続いて、モード選択入力段階S10で判断されたモードがブルートゥース通信モードであるかどうかを判断しS710、ブルートゥース通信モードである場合はイヤーカナルマイクと第2外部マイクを有効にするS720ブルートゥース通信モードを設定し、これに応じてブルートゥース通信モード、すなわち音声通話を実行しS730、音声通話が終了されたかどうかを判断してS740、音声通話が終了した場合はブルートゥース通信モードを終了しS740、モード選択入力段階S10を実行する。
【０１７２】
実施例に応じては、ブルートゥース通信モードを終了して740、自動的に補聴モードを実行することもできる。
【０１７３】
図9において、ブルートゥース通信モード判断710の結果、ブルートゥース通信モードでなければ、図10の補聴モードであるかどうかを判断する810過程を実行する。
【０１７４】
図10を参照すると、基本的な補聴モードでは本発明のイヤーカナルマイクを内蔵するブルートゥースイヤーセットの電源がONになったり、電源のON/OFF待機状態で近接センサ60でユーザーの着用が検出されると動作のON待機状態に進入し、タッチ動作認識部50による動作モード選択入力を待機する。
【０１７５】
続いて、 タッチ動作認識部50を介してユーザーのタッチ動作の入力を受けて認識して、上記認識されたタッチ動作を事前に設定されたタッチ動作と比較してブルートゥース通信モードまたは補聴モードに対する選択入力であるかを判断するモード選択入力段階S10が実行される。
【０１７６】
続いて、モード選択入力段階S10で判断されたモードが補聴モードであるかどうかを判断して810、補聴モードの場合は第1外部マイクと第2外部マイクを有効にして820、事前に設定されたイコライザー（聴力補正モード）を含んで補聴モードを設定して補聴モードを実行する830。
【０１７７】
上記補聴モードの実行中に補聴モードの終了入力があるかどうかを判断831、すなわち、タッチ動作認識部50を介して補聴モードを終了する入力が受信されたり、上記近接センサを介してユーザーの耳からの離脱が検出されているかどうかを判断し、上記補聴モードの終了入力がある場合は補聴モードを終了する832。
【０１７８】
また、上記補聴モードの実行中に、タッチ動作認識部50を介して聴力補正モードの変更入力があるかどうかを判断し833、上記聴力補正モードの変更入力がある場合は上記イコライザー（聴力補正モード）を変更して834、補聴モードを再設定して補聴モードを実行する830。
【０１７９】
併せて、上記補聴モードの実行中に、ユーザー端末での電話の着信があるかどうかを判断し835、電話が受信された場合は補聴モードを終了し840、ブルートゥース通信モードを実行してイヤーカナルマイクと第2外部マイクを有効にして第1外部マイクを有効にして850、これに応じてブルートゥース通信モード、すなわち、 音声通話を実行し830、音声通話が終了されたかどうかを判断して861、音声通話が終了した場合はブルートゥース通信モードを終了しS740、モード選択入力段階S10を実行する。
【０１８０】
イヤーカナルマイクを内蔵するブルートゥースイヤーセットのブルートゥース通信モードと補聴モード実行方法の音響信号処理過程をイヤーカナルマイク21から受信されて転送されたユーザーの耳の中での音声に対する音響信号処理過程、転送された通話音声に対する音響信号処理過程と第1外部マイク31から受信されて転送された外部の音響に対する音響信号処理過程を中心に具体的に説明する。
【０１８１】
ブルートゥース通信モードでは、イヤーカナルマイク21と第1外部マイク（または、第2外部マイク）が有効になって、イヤーカナルマイク21が主マイクで動作し、第2外部マイクが音色補正のための補助マイクで使用される。
【０１８２】
併せて、RF送信部47AとRF受信部47Bが有効になってブルートゥース無線通信によってユーザー端末と通話による音響信号をブルートゥース無線通信方式で送受信する。
【０１８３】
ブルートゥース通信モードでイヤーカナルマイク21から受信されて転送されたユーザーの耳の中での音声に対する音響信号については、まず、入力信号増幅部で増幅された入力信号増幅過程910が実行される。
【０１８４】
増幅された上記音響信号についてDSP処理のために入力信号変換部でADC（Analog Digital Converting）処理、すなわち、デジタル信号に変換する入力信号変換過程920を実行してデジタル音響信号に変換する。
【０１８５】
また、入力信号変換過程920で、入力信号変換部はノイズフィルタでノイズを除去したり減少させる作業を実行する前の段階で、イヤーカナルマイク21で受信されたユーザーの耳の中での音声に対する音響信号を第2外部マイク32に入力された音響信号に基づいて補正することにより、イヤーカナルマイク21を介して受信されたユーザーの耳の中での音声に対する音響信号のユーザー音色を外部から聞こえるユーザーの音声の音色の音響信号に補正する前処理作業を実行することができる。
【０１８６】
続いて、上記デジタル音響信号についてエコキャンセレーション処理部によってエコキャンセレーション処理過程930が実行される。 イヤーカナルマイクを介して受信された音響信号にレシーバを介して再生されている相手の音響信号が流入されて発生される現象を削減するためにレシーバで出力される音響信号とイヤーカナルマイクに入力された信号の時間差を利用して、例えば、 音響信号に対する事前に設定された時間への遅延処理する方式でエコキャンセレーション処理が実行される。
【０１８７】
続いて、上記エコーキャンセレーション処理と音色補正されたデジタル音響信号について、ノイズフィルタを介してマイクで入力された信号を介して入力された周辺のノイズと風の音、または端末の内部で電気的に発生するホワイト・ノイズなどのノイズを除去するノイズフィルタリング過程940が実行される。 これは一般的な上記ノイズの特性が考慮されたノイズ除去アルゴリズムで具現されている。
【０１８８】
ブルートゥース通信モードでは、イヤーカナルマイクを介して受信された音響信号に対しては補正モード補正値適用過程950の実行が省略される。 信号強度補正過程960で、イヤーカナルマイク21から受信された音響信号が一定の音量で再生されるように信号強度を調整する。これによって、小さなレベルの音は大きくして大きなレベルの音は小さくして、相手が通話を円滑に実行できるようにする。
【０１８９】
続いて、出力信号増幅部を介して、ユーザーが選択したボリュームのサイズに合わせて増幅して出力する出力信号増幅過程970を実行する。
【０１９０】
上記のように音響信号処理されたユーザーの耳の中での音声に対する音響信号は、RF送信部47Aを介してブルートゥース無線通信方式でユーザー端末に転送される。
【０１９１】
一方、ブルートゥース通信モードでRF受信部47Bを介して送信された通話音声に対しては、音響信号処理過程においてブルートゥース無線通信を介して受信されて変換された音響信号はデジタル音響信号の形態である。上記入力信号増幅過程910と入力信号変換過程  920が省略され、端末の内部で電気的に発生するホワイト・ノイズなどのノイズを除去するノイズフィルタリング過程940が実行される。
【０１９２】
ノイズ除去が完了したら、イコライザー（聴力補正モード）を介して事前に設定された方式で受信された音響信号について周波数ごとにその増幅量を調節する音響信号補正値を含んでいる一つ以上の聴力補正モードに応じて上記音響信号を周波数ごとに増幅量を調節する補正モード補正値適用過程950を実行する。
【０１９３】
上記聴力補正モードは図12に例示されるように、特定の周波数帯域に対する難聴者のために特定の周波数帯域の難聴を改善するために可聴周波数の帯域幅（0乃至8 KHz）を250Hz単位で32段階に区分して、32段階の周波数ごとに信号増幅量を調整して聴力を補正する処理を実行するように処理されたアルゴリズムである。
【０１９４】
これによって、補聴利得値を含んでいる音響信号の一つ以上の聴力補正モード、本実施例の場合、4つの聴力補正モードの設定値が保存されてユーザーの選択に応じて使用されている。
【０１９５】
ユーザーは上記4つの聴力補正モード中に自分の聴力に適切な聴力補正モードを選択して、選択された聴力補正モードの設定値がユーザー端末200のアプリケーション300からブルートゥース無線通信を介してブルートゥースイヤーセット100にポーティングされ（移植され）、選択された聴力補正モードがブルートゥースイヤーセット100に設定されるように具現されることができる。
【０１９６】
本実施例の聴力補正モードは、全体の難聴者の75％を占める通常70dB以下の音を聞かない軽重度の難聴者を対象にする。
【０１９７】
軽重度の難聴者に対する聴力検査結果の分析を介して各聴力補正モードの設定値が実験的に図12に示すように一つ以上のモードで事前に設定されている。
【０１９８】
続いて、上記補正値が適用されて処理された音響信号を信号強度補正部を介して一定の信号のサイズでレシーバに出力するように信号強度を調整する信号強度補正過程  960を実行する。
【０１９９】
これは、小さな音は大きくしてユーザーがよく聞くようにして、あまりにも大きな音が入力されてユーザーの耳を損傷することを防止するために一定のレベル以上に大きな音で入力される信号は減らしてユーザーの耳を保護するためである。
【０２００】
続いて、出力信号増幅部を介して、ユーザーが選択したボリュームのサイズに合わせて増幅して出力する出力信号増幅過程970を実行する。
【０２０１】
このように、音響信号処理されたRF受信部47Bを介してユーザー端末から送信された通話音声に対する音響信号はレシーバ22に出力して音として再生される。
【０２０２】
補聴モードでは第1外部マイクと第2外部マイクが有効になって、第1外部マイク31が主マイクで動作し、第2外部マイクが外部音響信号の補正のための補助マイクで使用されて、補聴モードで第1外部マイク31から受信されて転送された外部の音響に対する音響信号を処理して、第1外部マイク31から受信されて転送された外部の音響をレシーバで音として再生する。
【０２０３】
第1外部マイク31と第2外部マイク32から受信されて転送された外部の音響に対する音響信号に対しては、まず、入力信号増幅部で入力信号増幅過程910が実行されて、入力信号変換部は入力信号変換過程920を実行して増幅された上記音響信号についてDSP処理のために入力信号変換部でADC（Analog Digital Converting）処理してデジタル音響信号に変換する。
【０２０４】
また、入力信号変換過程920で入力信号変換部はノイズフィルタでノイズを除去したり減少させる作業を実行する前の段階で、上記第1外部マイクを介して受信された音響の電気的音響信号を上記第2外部マイクを介して受信された音響の電気的音響信号に応じて補正する前処理作業が実行されることができる。
【０２０５】
前処理作業として、主マイクの第1外部マイクと補助マイクの第2外部マイク間の音響信号の強度を調整して、第1外部マイク31と第2外部マイク32に入力された音響信号の周波数成分の違いを分析して、違いがある周波数成分を前処理で除去する方法を用いることができる。
【０２０６】
補聴モードにおいて、通常エコーキャンセレーション過程930が省略されることもあり、しかし、実施例に応じては一般的なエコーキャンセレーション過程が付加されて実行されることもある。
【０２０７】
続いて、上記デジタル音響信号について、ノイズフィルタを介してマイクで入力された信号を介して、入力された周辺のノイズ、風の音、または端末の内部で電気的に発生するホワイト・ノイズなどのノイズを除去するノイズフィルタリング過程940が実行され、これは一般的な上記ノイズの特性が考慮されたノイズ除去アルゴリズムで具現されている。
【０２０８】
ノイズ除去が完了したら、イコライザー（聴力補正モード）を介して事前に設定された方式で受信された音響信号について周波数ごとにその増幅量を調節する音響信号補正値を含んでいる一つ以上の聴力補正モードに応じて上記音響信号を周波数ごとに増幅量を調節する補正モード補正値適用過程950を実行する。
【０２０９】
上記聴力補正モードは図12に例示されたように、特定の周波数帯域に対する難聴者のために特定の周波数帯域の難聴を改善するために可聴周波数の帯域幅（0乃至8 KHz）を250Hz単位で32段階に区分して32段階の周波数ごとに信号の増幅量を調整して聴力を補正する処理を実行するように処理されたアルゴリズムである。 これを介して補聴利得値を含んでいる音響信号の一つ以上の聴力補正モード、本実施例の場合、4つの聴力補正モードの設定値が保存されてユーザーの選択に応じて使用される。
【０２１０】
ユーザーは上記4つの聴力補正モード中、自分の聴覚に適切な聴力補正モードを選択して選択された聴力補正モードの設定値がユーザー端末200のアプリケーション300からブルートゥース無線通信を介してブルートゥースイヤーセット100にポーティングされて選択された聴力補正モードがブルートゥースイヤーセット100に設定されるように具現されることができる。
【０２１１】
本実施例の聴力補正モードは、全体の難聴者の75％を占める通常70dB以下の音を聞かない軽重度の難聴者を対象にし、軽重度の難聴者に対する聴力検査結果の分析を介して各聴力補正モードの設定値が実験的に図12に示すように一つ以上のモードで事前に設定されている。
【０２１２】
続いて、上記補正値が適用されて処理された音響信号を信号強度補正部を介して一定の信号のサイズでレシーバに出力するように信号強度を調整する信号強度補正過程960を実行する。
【０２１３】
これは小さな音は大きくしてユーザーがよく聞くようにして、あまりにも大きな音が入力されてユーザーの耳を損傷することを防止するために一定のレベルの以上に大きな音で入力された信号は減らしてユーザーの耳を保護するためである。
【０２１４】
続いて、出力信号増幅部を介して、ユーザーが選択したボリュームのサイズに合わせて増幅して出力する出力信号増幅過程970を実行して、上述した音響信号の処理が完了した外部の音響に対する音響信号はレシーバ22に出力して音として再生される。
【０２１５】
以上のように、本発明の構成または段階の特別な組み合わせが上記実施例を通じて詳しく説明されたが、これらの構成と段階については他の組み合わせが同様に可能である。本発明は、ここで開示された特定の実施例に制限されず、これらの他の組み合わせは本発明の権利範囲に統合される。したがって、本発明は上記の実施例に限定されるものではなく、本発明が属する分野で通常の知識を有する者であれば これらの記載から様々な修正と変形が可能である。
【図面の簡単な説明】
【０２１６】
【図１】図1は本発明のイヤーカナルマイクを内蔵するブルートゥースイヤーセットを利用して補聴機能とブルートゥース通信機能を同時に実行するシステムを説明するための図である。
【図２】図2は本発明の実施例のイヤーカナルマイクを内蔵するブルートゥースイヤーセットの主要な構成の分解図である。
【図３】図3は本発明の実施例のイヤーカナルマイクを内蔵するブルートゥースイヤーセットのマイク/レシーバ収容部の構成を説明するための断面図である。
【図４】図4は本発明の実施例のイヤーカナルマイクを内蔵するブルートゥースイヤーセットの主要な構成の断面図である。
【図５】図5は本発明の実施例のイヤーカナルマイクを内蔵するブルートゥースイヤーセットの機能ブロック図である。
【図６】図6は本発明の実施例のイヤーカナルマイクを内蔵するブルートゥースイヤーセットの入力信号制御部42と音響信号処理部43の主な機能と動作を説明するための図面である。
【図７】図7は本発明の実施例のイヤーカナルマイクを内蔵するブルートゥースイヤーセットの入力信号制御部42と音響信号処理部43の主な機能と動作を説明するための図面である。
【図８】図8は本発明の実施例のイヤーカナルマイクを内蔵するブルートゥースイヤーセットの制御方法のフローチャートである。
【図９】図9は本発明の実施例のイヤーカナルマイクを内蔵するブルートゥースイヤーセットのブルートゥース通信モード実行方法のフローチャートである。
【図１０】図10は本発明の実施例のイヤーカナルマイクを内蔵するブルートゥースイヤーセットの補聴モード実行方法のフローチャートである。
【図１１】図11は本発明の実施例のイヤーカナルマイクを内蔵するブルートゥースイヤーセットの音響信号処理方法のフローチャートである。
【図１２】図12は本発明の実施例のイヤーカナルマイクを内蔵するブルートゥースイヤーセットの聴力補正モードの具現例である。
【符号の説明】
【０２１７】
100    イヤーカナルマイクを内蔵するブルートゥースイヤーセット
200    ユーザー端末
300    アプリケーション
10    ハウジング
20    マイク/レシーバ収容部
30    外部音響受信部 
40    駆動制御部
【図１】
0006360633.tif 000002
【図２】
0006360633.tif 000003
【図３】
0006360633.tif 000004
【図４】
0006360633.tif 000005
【図５】
0006360633.tif 000006
【図６】
0006360633.tif 000007
【図７】
0006360633.tif 000008
【図８】
0006360633.tif 000009
【図９】
0006360633.tif 000010
【図１０】
0006360633.tif 000011
【図１１】
0006360633.tif 000012
【図１２】
0006360633.tif 000013